(57)【要約】【課題】  信号に位相雑音が生じることがなく、かつ入力信号に障害が発生して同期が取れなくなった場合でも、早期に同期補償が行えるクロック信号の出力方法、クロック整形器およびクロック整形器を用いた電子機器を提供する。【解決手段】  クロック信号の出力方法は、外部からの信号に基づいたクロック信号（入力信号Ｓ１）と、固定発振器２０からの代替クロック信号Ｓ２とのいずれかを選択して出力するクロック信号の出力方法であって、前記クロック信号を選択して出力しているときに、前記固定発振器２０を非動作状態とし、前記クロック信号に異常が生じたときに、前記固定発振器２０を動作させて前記代替クロック信号Ｓ２を出力する構成とした。【選択図】    図１
2005252354.tif 000002
【特許請求の範囲】
【請求項１】
外部からの信号に基づいたクロック信号と、固定発振器からの代替クロック信号とのいずれかを選択して出力するクロック信号の出力方法であって、
前記クロック信号を選択して出力しているときに、前記固定発振器を非動作状態とし、
前記クロック信号に異常が生じたときに、前記固定発振器を動作させて前記代替クロック信号を出力する、
ことを特徴とするクロック信号の出力方法。
【請求項２】
外部からの信号に基づいたクロック信号の異常時に出力する代替クロック信号を生成する固定発振器と、
前記クロック信号と前記代替クロック信号とが入力し、いずれか一方を出力する選択部と、
前記クロック信号を監視して前記クロック信号が正常なときに、前記固定発振器を非動作状態にして前記選択部に前記クロック信号を出力させ、前記クロック信号に異常が生じたときに、前記固定発振器を動作させるとともに、前記選択部に前記代替クロック信号を出力させる信号検出部と、
を有することを特徴とするクロック整形器。
【請求項３】
前記選択部から出力した前記クロック信号または前記代替クロック信号と、帰還ループからのクロック信号とを入力して位相比較し、比較した結果を位相差信号として出力する位相比較部と、
前記位相差信号を入力して平滑化し、制御電圧として出力するループフィルタと、
前記制御電圧を入力して、前記制御電圧に応じた周波数のクロック信号を前記帰還ループおよび外部に出力する電圧制御型発振回路と、
を有することを特徴とする請求項２に記載にクロック整形器。
【請求項４】
前記固定発振器は前記信号検出部から出力した制御信号に基づいて発振制御または電源制御されることを特徴とする請求項２または３に記載のクロック整形器。
【請求項５】
外部からの信号に基づいた前記クロック信号は、伝送路からの受信データからタイミング抽出した受信クロック信号と、マスタ局または準マスタ局から送信される基準クロック信号に同期した予備クロック信号とを有し、
前記受信クロック信号と予備クロック信号とを入力して、いずれかのクロック信号を選択する第２選択部と、
前記第２選択部で前記受信クロック信号を選択したときに前記受信クロック信号の欠損を監視し、前記受信クロック信号に欠損を検出したときに、前記第２選択部で前記予備クロック信号を選択させる受信クロック信号欠損検出部と、
を設けたことを特徴とする請求項２ないし４のいずれかに記載のクロック整形器。
【請求項６】
請求項２ないし５のいずれかに記載のクロック整形器を備えたことを特徴とするクロック整形器を用いた電子機器。
【発明の詳細な説明】
【技術分野】
【０００１】
本発明はクロック信号の出力方法、クロック整形器およびクロック整形器を用いた電子機器に係り、特にクロック整形器の内部に設けられた固定発振器の動作について規定したクロック信号の出力方法、クロック整形器およびクロック整形器を用いた電子機器に関する。
【背景技術】
【０００２】
ネットワークにおけるクロック信号の役割は、ネットワーク内に共通の周波数を分配し、ネットワークを同期化することである。そしてネットワークのマスタ局または準マスタ局から各スレーブ局に基準クロック信号が分配され、各スレーブ局でネットワークの伝送路から受信したデータよりタイミング抽出した受信クロック信号に基づいて、送受信処理が行われている。
【０００３】
ところで、ネットワークに回線障害が発生した場合、スレーブ局では伝送路からデータを正常に受信できなくなり、受信クロック信号を再生できなくなる。この場合、回線障害が復旧するまでスレーブ局では送受信処理を行うことができない。これを防ぐために、スレーブ局内にマスタ局から出力された基準クロック信号に同期するクロック供給装置が設けられ、回線障害が復旧するまで、このクロック供給装置から出力される予備クロック信号に基づいて送受信処理が行われる。また受信クロック信号または予備クロック信号に、一定時間内にクロック信号の欠落した状態（欠損）が発生した場合は、スレーブ局内に設けられている固定発振器から出力されるクロック信号に基づいて送受信処理が行われる。
【０００４】
ネットワークの通信システムを構成する伝送装置等には、位相同期（ＰＬＬ）回路を利用したクロック整形器が使用される。そしてクロック整形器の前段には、受信クロック信号と予備クロック信号とを入力し、いずれかのクロック信号を選択する選択部や、受信クロック信号または予備クロック信号と固定発振器から出力されるクロック信号とを入力して、いずれかのクロック信号を選択する選択部が設けられている。
【０００５】
なお２つのクロック信号を入力して、いずれか１つのクロック信号をＰＬＬ回路へ出力する装置について開示されたものとして特許文献１および２が挙げられる。特許文献１には、瞬断等のためにクロック信号を切り替える場合、クロック信号切替回路とＰＬＬ回路の間に設けられた自走制御回路から、クロック信号切替回路から出力される選択クロックに常時同期させておいた自走クロックをＰＬＬ回路へ出力して、クロック信号の切り替え動作中におけるＰＬＬ回路の出力の周波数変動を抑止することが開示されている。また特許文献２には、第１クロック信号から第２クロック信号へ切り替える場合、ＰＬＬ回路の入力側に設けられた切替え装置において、発振器から出力されるクロック信号を第１クロック信号に位相同期させて切り替えた後、この発振器から出力されるクロック信号と第２クロック信号との位相差が所定値以下となったときに前記クロック信号から第２クロック信号へ切り替えることが開示されている。
【特許文献１】特開平１０−６５５３６号公報
【特許文献２】特開２００１−２４４８１２号公報
【発明の開示】
【発明が解決しようとする課題】
【０００６】
上述した従来技術に係るクロック整形器において、回線障害等に備えて固定発振器を設けた場合、固定発振器を常時発振させておくと、選択部には受信クロック信号または予備クロック信号（入力信号）と、固定発振器から出力されたクロック信号とのいずれもが入力される。そして入力信号と固定発振器から出力されたクロック信号との周波数が異なる場合、選択部から出力される信号に位相雑音が発生する問題点がある。
【０００７】
本発明は、上記問題点を解決するためになされたもので、選択部から出力される信号に位相雑音が生じることがなく、かつ入力信号に障害が発生して同期が取れなくなった場合でも、早期に同期補償が行える制御方法、クロック整形器およびクロック整形器を用いた電子機器を提供することを目的とする。
【課題を解決するための手段】
【０００８】
上記目的を達成するために、本発明に係るクロック信号の出力方法は、外部からの信号に基づいたクロック信号と、固定発振器からの代替クロック信号とのいずれかを選択して出力するクロック信号の出力方法であって、前記クロック信号を選択して出力しているときに、前記固定発振器を非動作状態とし、前記クロック信号に異常が生じたときに、前記固定発振器を動作させて前記代替クロック信号を出力する、ことを特徴としている。
【０００９】
固定発振器は、外部からの信号に基づいたクロック信号（入力信号）が選択されている間は動作（発振）していない。このため外部からの信号に基づいたクロック信号と、固定発振器から出力された代替クロック信号とを選択する箇所には、前記クロック信号のみが入力される。これにより前記クロック信号と前記代替クロック信号が入力されることにより位相雑音を生じることがなく、高品質なクロック信号を得ることができる。また前記クロック信号に欠損が生じた場合は、固定発振器を動作（発振）させて、固定発振器から出力される代替クロック信号に切り替えることができる。
【００１０】
また本発明に係るクロック整形器は、外部からの信号に基づいたクロック信号の異常時に出力する代替クロック信号を生成する固定発振器と、前記クロック信号と前記代替クロック信号とが入力し、いずれか一方を出力する選択部と、前記クロック信号を監視して前記クロック信号が正常なときに、前記固定発振器を非動作状態にして前記選択部に前記クロック信号を出力させ、前記クロック信号に異常が生じたときに、前記固定発振器を動作させるとともに、前記選択部に前記代替クロック信号を出力させる信号検出部と、を有することを特徴としている。
【００１１】
選択部は、外部からの信号に基づいたクロック信号（入力信号）と、固定発振器から出力される代替クロック信号を入力することができる。そして選択部で入力信号が選択されている間は、前記固定発振器が動作（発振）していない。このため選択部で入力信号が選択されている間は、選択部に入力信号のみが入力するので、選択部から出力される信号に位相雑音が生じることはない。よって選択部から出力されるクロック信号を高品質にできる。また入力信号に欠損等の異常が生じた場合は、固定発振器を動作（発振）させて代替クロック信号を選択部に入力し、この代替クロック信号を選択部から出力できる。
【００１２】
また前記選択部から出力した前記クロック信号または前記代替クロック信号と、帰還ループからのクロック信号とを入力して位相比較し、比較した結果を位相差信号として出力する位相比較部と、前記位相差信号を入力して平滑化し、制御電圧として出力するループフィルタと、前記制御電圧を入力して、前記制御電圧に応じた周波数のクロック信号を前記帰還ループおよび外部に出力する電圧制御型発振回路と、を有することを特徴としている。これにより選択部に入力する入力信号または代替クロック信号と位相同期した信号を出力できるので、システムの同期を早期に確保できる。
【００１３】
また前記固定発振器は前記信号検出部から出力した制御信号に基づいて発振制御または電源制御されることを特徴としている。これにより前記制御信号に基づいて固定発振器を動作させることができる。すなわち固定発振器に前記制御信号が入力されない場合は固定発振器が動作せず、代替クロック信号を発生させないが、前記信号が入力された場合は固定発振器が動作して、選択部に代替クロック信号を出力できる。
【００１４】
また外部からの信号に基づいた前記クロック信号は、伝送路からの受信データからタイミング抽出した受信クロック信号と、マスタ局または準マスタ局から送信される基準クロック信号に同期した予備クロック信号とを有し、前記受信クロック信号と予備クロック信号とを入力して、いずれかのクロック信号を選択する第２選択部と、前記第２選択部で前記受信クロック信号を選択したときに前記受信クロック信号の欠損を監視し、前記受信クロック信号に欠損を検出したときに、前記第２選択部で前記予備クロック信号を選択させる受信クロック信号欠損検出部と、を設けたことを特徴としている。
【００１５】
これにより受信クロック信号に欠損が発生すると予備クロック信号に切り替えることができ、システムを早期に同期補償できる。また第２選択部および受信クロック信号欠損検出部は選択部の前段に設けられるので、予備クロック信号に欠損が発生した場合でも、固定発振器から出力される代替クロック信号によりシステムを早期に同期補償できる。さらに受信クロック信号または予備クロック信号のいずれかが入力信号として選択部に入力する場合でも、選択部から出力されるクロック信号に位相雑音が生じることがない。
【００１６】
また本発明に係るクロック整形器を用いた電子機器は、上述したクロック整形器を備えたことを特徴としている。これにより外部の装置等で欠損等の異常検出の遅れや、切り替え動作の遅れが発生しても早期に同期補償できる電子機器を得ることができる。
【発明を実施するための最良の形態】
【００１７】
以下に、本発明に係るクロック信号の出力方法、クロック整形器およびクロック整形器を用いた電子機器の好ましい実施の形態について説明する。図１にクロック整形器のブロック図を示す。クロック整形器１０は信号セレクタ３０を有し、この信号セレクタ３０が外部からの信号に基づいたクロック信号（入力信号Ｓ１）と、固定発振器２０から出力した代替クロック信号Ｓ２とを入力する構成となっている。この信号セレクタ３０の後段に位相同期（ＰＬＬ）回路４０が接続されている。
【００１８】
ここで外部からの信号に基づいた前記クロック信号は受信クロック信号や予備クロック信号であり、受信クロック信号とは伝送路から受信したデータからタイミング抽出したクロック信号をいい、予備クロック信号とはマスタ局または準マスタ局の基準クロック信号に同期した、外部のクロック供給装置（不図示）から供給されるクロック信号をいう。
【００１９】
前記信号セレクタ３０は入力信号Ｓ１と固定発振器２０から出力される代替クロック信号Ｓ２とのいずれかを選択し、入力信号Ｓ１が選択されたときに入力信号Ｓ１の欠損の異常を監視している。ここで欠損とは、一定時間、クロック信号が欠落した状態を意味するものとする。すなわち、例えば瞬断時のように短時間の欠落した状態を、また伝送装置や回線において発生した障害によりクロック信号が生成されず、信号の欠落した状態が比較的長い時間継続する状態をいう。そして信号セレクタ３０で選択された信号はクロック信号Ｓ３として出力される。
【００２０】
前記ＰＬＬ回路４０は、信号セレクタ３０から出力されたクロック信号Ｓ３と、帰還ループからのクロック信号Ｓ５とを比較し、比較結果に基づいた位相差信号Ｓ４を出力する位相比較部５０と、位相差信号Ｓ４を平滑化し制御電圧Ｖｃとして出力するループフィルタ６０と、この制御電圧Ｖｃに応じて出力されるクロック信号Ｓ５の周波数が変化する電圧制御型発振回路７０とから構成されている。なお電圧制御型発振回路７０は、水晶等からなるＡＴカット圧電振動子を用いた電圧制御型圧電発振回路、または弾性表面波（ＳＡＷ）共振子を用いた電圧制御型ＳＡＷ発振回路のいずれかであればよい。
【００２１】
次に、上述したクロック整形器１０のさらに詳しい構成を説明する。図２にクロック整形器１０の各構成を説明するブロック図を示す。固定発振器２０は入力信号Ｓ１に欠損を発生している状態が継続している場合に、一時的な同期確保のためのクロック信号源として用いられる。したがって固定発振器２０として水晶等からなるＡＴカット圧電振動子を用いた発振回路や、ＳＡＷ共振子を用いた発振回路等を用いればよい。そして固定発振器２０は制御部２２を有し、この制御部２２で固定発振器２０を電源制御または発振制御している。なお固定発振器２０は、信号セレクタ３０が入力信号Ｓ１を選択している間は制御部２２により制御されて非動作状態となり、代替クロック信号Ｓ２を信号セレクタ３０へ出力していない。
【００２２】
前記信号セレクタ３０は選択部３２と信号検出部３４とを備えた構成である。前記選択部３２は、入力信号Ｓ１と固定発振器２０から出力される代替クロック信号Ｓ２とのいずれかを、外部からの選択信号により選択するものである。また信号検出部３４は、選択部３２で入力信号Ｓ１が選択されているときに、この入力信号Ｓ１の欠損を監視するものである。そして信号検出部３４は入力信号Ｓ１に欠損を検出すると、制御部２２に対して固定発振器２０を動作させる制御信号を出力するとともに、選択部３２に対して切り替え信号ＣＮＴを出力する。選択部３２では切り替え信号ＣＮＴを入力すると、外部からの選択信号に優先して、固定発振器２０から出力された代替クロック信号Ｓ２に強制的に切り替えられる。なお固定発振器２０からの代替クロック信号Ｓ２に切り替えられた場合、信号検出部３４は前記代替クロック信号Ｓ２の監視を行わない。
【００２３】
前記位相比較部５０は、選択部３２の後段に設けられた入力分周回路５２（分周比１／Ｍ）と、帰還ループに設けられた帰還分周回路５４（分周比１／Ｎ）と、入力分周回路５２および帰還分周回路５４の後段に設けられた位相比較回路５６とから構成されている。入力分周回路５２および帰還分周回路５４は、それぞれに入力される高周波のクロック信号の低周波化を図るものである。そして選択部３２から出力されたクロック信号Ｓ３を入力分周回路５２で１／Ｍに分周し、電圧制御型発振回路７０から出力された帰還ループ用のクロック信号Ｓ５を帰還分周回路５４で１／Ｎに分周し、位相比較回路５６でそれぞれのクロック信号の位相を比較して、位相差に応じた電圧レベルの位相差信号Ｓ４をループフィルタ６０に出力している。
【００２４】
前記電圧制御型発振回路７０に、電圧制御型ＳＡＷ発振回路を用いる場合は次のような構成にすればよい。図３に電圧制御型ＳＡＷ発振回路のブロック図を示す。電圧制御型ＳＡＷ発振回路７０ａは、電圧制御移相回路７１、ＳＡＷ共振子７２、インピーダンス回路７３、発振用差動増幅器７４、出力用差動増幅器７５および帰還バッファ用差動増幅器７６から構成されている。そして少なくとも電圧制御移相回路７１、ＳＡＷ共振子７２、発振用差動増幅器７４および帰還バッファ用差動増幅器７６により正帰還発振ループが形成されている。なお発振用差動増幅器７４、出力用差動増幅器７５、帰還バッファ用差動増幅器７６は、それぞれＥＣＬラインレシーバ（エミッタ結合論理）を用いた差動増幅回路である。
【００２５】
また図３に示す電圧制御型ＳＡＷ発振回路７０ａのかわりに、次のような電圧制御型ＳＡＷ発振回路を用いることもできる。図４に他の構成に係る電圧制御型ＳＡＷ発振回路のブロック図を示す。他の構成に係る電圧制御型ＳＡＷ発振回路７０ｂは、電圧制御移相回路７１、ＳＡＷ共振子７２、発振用増幅器７７、帰還バッファ用増幅器７８および複数の出力用増幅器７９（７９ａ、７９ｂ、…７９ｎ）から構成されている。そして少なくとも電圧制御移相回路７１、ＳＡＷ共振子７２、発振用増幅器７７および帰還バッファ用増幅器７８から正帰還発振ループが形成されている。そして発振用増幅器７７からの出力信号を、複数の出力用増幅器７９を介して出力し、この中の１つの出力を帰還ループ用のクロック信号Ｓ５とし、他の出力をクロック整形器１０からの出力として使用できる。
【００２６】
次に、クロック整形器１０の動作について説明する。まず入力信号Ｓ１に欠損が検出されない正常時の動作について説明する。入力信号Ｓ１が選択部３２に入力され、また選択端子ＳＥＬから入力された選択信号により、入力信号Ｓ１が選択部３２で選択されている。このとき固定発振器２０は動作（発振）していないので、固定発振器２０からの代替クロック信号Ｓ２は選択部３２に入力されていない。選択部３２から出力したクロック信号Ｓ３は信号検出部３４で欠損を監視されるが、正常時においては欠損が生じていないので、前記クロック信号Ｓ３はそのまま位相比較部５０に入力される。また電圧制御型発振回路７０から出力された帰還ループのクロック信号Ｓ５も位相比較部５０に入力される。そして選択部３２から出力されたクロック信号Ｓ３は入力分周回路５２で１／Ｍに分周された後、位相比較回路５６に入力される。また帰還ループのクロック信号Ｓ５も帰還分周回路５４で１／Ｎに分周された後、位相比較回路５６に入力される。位相比較回路５６では分周されて低周波化されたそれぞれのクロック信号の位相差を比較して、比較した結果を位相差信号Ｓ４としてループフィルタ６０に出力している。ループフィルタ６０では位相差信号Ｓ４を平滑化して、制御電圧Ｖｃを電圧制御型発振回路７０に出力している。電圧制御型発振回路７０は制御電圧Ｖｃに応じて帰還ループのクロック信号Ｓ５の周波数を変化させ、前記クロック信号Ｓ５を位相比較部５０に出力している。
【００２７】
次に、入力信号Ｓ１に欠損が検出された異常時の動作について説明する。なお、ここでは、他のシステムや伝送装置等の異常検出の遅れや切り替える動作の遅れのため、クロック整形器１０がその異常をいち早く検出するという想定で動作を説明する。伝送路上において回線障害が発生したため正常にデータの送信が行われず、受信データから正常にタイミング抽出が行われない場合、例えば一定時間、受信クロック信号に欠損を生じたとする。すると入力信号Ｓ１に欠損を生じているので、選択部３２から出力されたクロック信号Ｓ３にも欠損が生じることになる。このクロック信号Ｓ３の欠損は信号検出部３４で検出される。
【００２８】
欠損を検出した信号検出部３４は、固定発振器２０の制御部２２に対して制御信号を出力するとともに、切り替え信号ＣＮＴを生成して選択部３２に出力する。固定発振器２０では制御信号を入力すると動作（発振）を開始して、選択部３２に代替クロック信号Ｓ２を出力する。また選択部３２では、切り替え信号ＣＮＴにより強制的に固定発振器２０からの代替クロック信号Ｓ２に切り替えられ、この代替クロック信号Ｓ２に基づいて同期が補償されることになる。
【００２９】
そして固定発振器２０から出力された代替クロック信号Ｓ２が選択部３２で選択された後、クロック信号Ｓ３として位相比較部５０に入力される。なお位相比較部５０以降の動作については、正常時の位相比較部５０以降の動作と同様なので、説明を省略する。
【００３０】
このようなクロック整形器１０は、入力信号Ｓ１と固定発振器２０から出力される代替クロック信号Ｓ２とのいずれかを選択する選択部３２と、入力信号Ｓ１の欠損を監視する信号検出部３４とが設けられている。そして信号検出部３４で入力信号Ｓ１に欠損が検出されない正常時では、固定発振器２０は動作せず、発振をしていない。このため選択部３２には固定発振器２０からの代替クロック信号Ｓ２が入力せず、入力信号Ｓ１のみが入力される。したがってクロック信号Ｓ３に位相雑音が生じることがないので、雑音のない高品質なクロック信号を得ることができる。
【００３１】
また入力信号に欠損が生じた場合は、信号検出部３４でその欠損を検出し、強制的に固定発振器２０からの代替クロック信号Ｓ２に切り替えることができる。したがって他の装置や機能ブロックにおいて検出の遅れや切り替え動作の遅れが発生しても、クロック整形器１０が保有する固定発振器２０に基づいた代替クロック信号Ｓ２によりシステムの同期を早期に確保できる。
【００３２】
なお上述した実施の形態では、選択部３２に受信クロック信号または予備クロック信号のいずれかを入力信号Ｓ１として入力する形態について説明している。そして受信クロック信号をそのまま選択部３２に入力する構成であれば、上述したクロック整形器１０の構成を用いることができる。しかし受信クロック信号と予備クロック信号とを入力し、いずれかのクロック信号を入力信号Ｓ１として選択部３２に入力する場合は、選択部３２の前段にクロック信号選択部を設ける必要がある。
【００３３】
図５にクロック信号選択部のブロック図を示す。クロック信号選択部８０は第２選択部８２と受信クロック信号欠損検出部８４とから構成されている。前記第２選択部８２は受信クロック信号ＳＲと、予備クロック信号ＳＢとを入力し、外部からの第２選択信号により、いずれか一方のクロック信号を選択するものである。また受信クロック信号欠損検出部８４は第２選択部８２で受信クロック信号ＳＲが選択されているときに、この受信クロック信号ＳＲの欠損を監視するものである。
【００３４】
次に、クロック信号選択部８０の動作について説明する。受信クロック信号ＳＲおよび予備クロック信号ＳＢが第２選択部８２に入力され、第２選択端子ＳＥＬ２から第２選択部８２へ入力される第２選択信号により受信クロック信号ＳＲが選択されている。選択された受信クロック信号ＳＲは入力信号Ｓ１として第２選択部８２から出力され、受信クロック信号欠損検出部８４で欠損が監視される。そして欠損が検出されない正常時であれば、入力信号Ｓ１は選択部３２に入力され、信号検出部３４で欠損の監視が行われることなく位相比較部５０に入力される（図２参照）。
【００３５】
また受信クロック信号ＳＲを選択し、第２選択部８２から出力された入力信号Ｓ１に欠損が検出された異常時であれば、受信クロック信号欠損検出部８４は第２選択部８２に対して第２切り替え信号ＣＮＴ２を出力する。第２選択部８２では第２切り替え信号ＣＮＴ２を入力すると、外部からの第２選択信号に優先して、予備クロック信号ＳＢに強制的に切り替える。そして第２選択部８２で選択された予備クロック信号ＳＢは入力信号Ｓ１として出力され、受信クロック信号欠損検出部８４で欠損の監視が行われることなく選択部３２に入力される。この選択部３２から出力されると、信号検出部３４で欠損の監視が行われる。そして信号検出部３４で欠損の監視が行われた以降の動作は、上述した実施の形態の動作に従って行われるので、これ以降の説明を省略する。
【００３６】
なお信号セレクタ３０への入力信号Ｓ１として、受信クロック信号ＳＲのみが入力される場合は信号検出部３４でクロック信号の欠損について監視を行う。しかし信号セレクタ３０の前段にクロック信号選択部８０があり、入力信号Ｓ１として受信クロック信号ＳＲまたは予備クロック信号ＳＢのいずれか一方が入力される場合は、信号検出部３４で予備クロック信号ＳＢのみの欠損を監視する。
【００３７】
このようなクロック信号選択部８０を、信号セレクタ３０の前段に設けることにより、受信クロック信号ＳＲに欠損が発生した場合、クロック信号選択部８０でこの欠損を検出して予備クロック信号ＳＢに切り替えることができる。また予備クロック信号ＳＢに欠損が発生した場合、信号セレクタ３０でこの欠損を検出して固定発振器２０から出力される代替クロック信号Ｓ２に切り替えることができる。したがって他の装置や機能ブロックにおいて検出の遅れや切り替え動作の遅れが発生しても、予備クロック信号ＳＢや固定発振器２０から出力される代替クロック信号Ｓ２によりシステムの同期を早期に確保できる。
【００３８】
次に、信号セレクタ３０の前段にクロック信号選択部８０を備えたクロック整形器１０を、電子機器に搭載した一例について説明する。図６にクロック整形器１０を用いた光トランシーバ用モジュールの概略を示すブロック図を示す。この光トランシーバ用モジュール９０は、例えばサーバ用コンピュータと光ネットワークとの間で、光／電気変換および電気／光変換と多重化および多重分離のためのインターフェース機能を実現するものである。
【００３９】
クロック整形器１０はタイミング抽出部９１でタイミング抽出されたジッタの多い低周波クロック信号（ＲＣＫ）と、外部のクロック供給装置等（不図示）から送出された予備クロック信号（ＴｘＲＣＫ）とを入力する。正常時にはこのジッタの多いクロック信号（ＲＣＫ）は、クロック整形器１０内において第１および第２選択信号ＣＮＴ１，２に基づいて選択され、ジッタが低減された高周波のクロック信号（ＳＣＫ）に整形される。そしてこのクロック信号（ＳＣＫ）は多重化部９２において、Ｎ個の送信データ（ＴｘＤＡＴＡ）を１つの送信データとして多重化するためのクロック信号として用いられる。
【００４０】
そして上述したクロック整形器１０を光トランシーバ用モジュール９０に用いることにより、選択されたクロック信号に欠損が生じるとクロック整形器１０でクロック信号の欠損を検出し、予備クロック信号または固定発振器２０から出力されるクロック信号に強制的に切り替えることができる。特に、外部装置や他の機能ブロックで欠損の検出の遅れや切り替え動作の遅れが発生した場合に、その優先的な切り替えにより早期の同期確保を補償できる。
【００４１】
またジッタを多く含んだ受信クロック信号を入力した場合、上述したクロック整形器１０により、極めてジッタの少ない高周波数のクロック信号に変換して多重化部９２へ供給することができる。これにより、多重化部９２において多重化する送信データ（ＴｘＤＡＴＡ×Ｎ）とクロック信号との間におけるタイミングマージンが確保されるので、多重化部の送信データの誤作動を防止できる。
【図面の簡単な説明】
【００４２】
【図１】本実施の形態に係るクロック整形器のブロック図である。
【図２】本実施の形態に係るクロック整形器の各構成を説明するブロック図である。
【図３】電圧制御型ＳＡＷ発振回路のブロック図である。
【図４】他の構成に係る電圧制御型ＳＡＷ発振回路のブロック図である。
【図５】クロック信号選択部のブロック図である。
【図６】クロック整形器を用いた光トランシーバ用モジュールの概略を示すブロック図である。
【符号の説明】
【００４３】
１０………クロック整形器、２０………固定発振器、３０………信号セレクタ、４０………位相同期（ＰＬＬ）回路、５０………位相比較部、５２………入力分周回路、５４………帰還分周回路、５６………位相比較回路、６０………ループフィルタ、７０………電圧制御型発振回路、８０………クロック信号選択部。
【図１】
2005252354.tif 000003
【図２】
2005252354.tif 000004
【図３】
2005252354.tif 000005
【図４】
2005252354.tif 000006
【図５】
2005252354.tif 000007
【図６】
2005252354.tif 000008